(57)【要約】【課題】白黒モードの設定メニュー画面を分かりやすくした電子カメラを提供する。【解決手段】白黒撮影に関する詳細設定を行う白黒モードのメニュー画面には、スタンダードと、カスタマイズと、カスタマイズ項目である輪郭強調、階調補正、およびフィルター効果の各項目を並列に配置する。白黒モードのカスタマイズ項目である輪郭強調、階調補正、およびフィルター効果のメニュー画面には、「白黒」の表題を配置する。【選択図】図７
2008258827.tif 000002
【特許請求の範囲】
【請求項１】
被写体像を撮像して画像データを生成する撮像手段と、
単色撮影モードとカラー撮影モードとを選択する選択手段と、
前記撮像手段で生成された前記画像データに画像調整を行う画像調整手段と、
単色撮影に関する画像調整設定項目を表示する表示画面と、カラー撮影に関する画像調整設定項目を表示する表示画面とをそれぞれ異なる表示形態で表示装置に表示させる表示制御手段とを備えることを特徴とする電子カメラ。
【請求項２】
請求項１に記載の電子カメラにおいて、
前記表示制御手段は、前記単色撮影に関する画像調整設定項目を表示する表示画面と、前記カラー撮影に関する画像調整設定項目を表示する表示画面とを、異なる表示色で表示することを特徴とする電子カメラ。
【請求項３】
請求項１に記載の電子カメラにおいて、
前記表示制御手段は、前記単色撮影に関する画像調整設定項目を表示する表示画面を、単色撮影に利用する色のみを用いて表示することを特徴とする電子カメラ。
【請求項４】
請求項１に記載の電子カメラにおいて、
前記表示制御手段は、前記単色撮影に関する画像調整設定項目を表示する表示画面と、前記カラー撮影に関する画像調整設定項目を表示する表示画面とを、異なる表示項目を用いて表示することで区別することを特徴とする電子カメラ。
【請求項５】
請求項１に記載の電子カメラにおいて、
前記表示制御手段は、前記単色撮影に関する画像調整設定項目を表示する表示画面に、予め決められた画質調整を行う第１の項目と、複数種類の画質調整をそれぞれ設定可能な第２の項目と、複数種類の画質調整項目とを並列に表示することを特徴とする電子カメラ。
【発明の詳細な説明】
【技術分野】
【０００１】
本発明は、単色撮影が可能な電子カメラに関する。
【背景技術】
【０００２】
電子カメラにおいて、色補正モードを白黒モードやセピアモードに設定して撮影画像に対する色補正処理を行うものが知られている（例えば特許文献１参照）。このデジタルカメラでは、特殊撮影オフモードが指定されると、カラー用の色変換データ（ＩＣＣプロファイル）を撮影画像に関連付けるよう設定され、白黒モードが指定されると白黒用ＩＣＣプロファイルを撮影画像に関連付けるよう設定される。
【０００３】
【特許文献１】特開２００３−１３４５２０号公報
【発明の開示】
【発明が解決しようとする課題】
【０００４】
上記特許文献１には、白黒モードにおける輪郭強調や階調補正等の詳細設定については開示がない。カラー画像と白黒画像とが撮影可能な電子カメラにおいては、カラー画像と白黒画像のそれぞれに対して輪郭強調や階調補正等の詳細設定を判りやすく区別しながら行えるようにすることが望まれている。
【課題を解決するための手段】
【０００５】
本発明による電子カメラは、被写体像を撮像して画像データを生成する撮像手段と、単色撮影モードとカラー撮影モードとを選択する選択手段と、撮像手段で生成された画像データに画像調整を行う画像調整手段と、単色撮影に関する画像調整設定項目を表示する表示画面と、カラー撮影に関する画像調整設定項目を表示する表示画面とをそれぞれ異なる表示形態で表示装置に表示させる表示制御手段とを備える。
表示制御手段は、単色撮影に関する画像調整設定項目を表示する表示画面と、カラー撮影に関する画像調整設定項目を表示する表示画面とを、異なる表示色で表示することが好ましい。
表示制御手段は、単色撮影に関する画像調整設定項目を表示する表示画面を、単色撮影に利用する色のみを用いて表示してもよい。
表示制御手段は、単色撮影に関する画像調整設定項目を表示する表示画面と、カラー撮影に関する画像調整設定項目を表示する表示画面とを、異なる表示項目を用いて表示することで区別してもよい。
表示制御手段は、単色撮影に関する画像調整設定項目を表示する表示画面に、予め決められた画質調整を行う第１の項目と、複数種類の画質調整をそれぞれ設定可能な第２の項目と、複数種類の画質調整項目とを並列に表示することが好ましい。
【発明の効果】
【０００６】
本発明によれば、単色撮影に関する画像調整の設定画面か、カラー撮影に関する画像調整の設定画面かを、表示形態により明確に区別することができる。
【発明を実施するための最良の形態】
【０００７】
以下、図面を参照して本発明の一実施の形態による電子カメラを説明する。図１は、本発明の一実施の形態によるデジタルカメラ１の背面図である。図１に示すようにデジタルカメラ１の背面には、表示装置１１、メニューボタン２１、およびマルチセレクター３０等が設けられている。デジタルカメラ１の上面には、モードダイヤル４０が設けられている。一実施の形態によるデジタルカメラ１は、カラー画像の撮影とともに、単色画像の撮影も可能な電子カメラである。ここでは、単色画像とは、白黒のモノクロ画像に加えて、例えばセピア色、青色、緑色等の単色のグラデーションで表現される画像すべてを含むものとする。ただし、以降では、説明を簡単にするために単色画像として白黒画像を例として説明する。
【０００８】
表示装置１１は、例えばＴＦＴ液晶などから構成され、デジタルカメラ１によって撮影された画像の表示およびメニュー画面の表示等を行う。メニューボタン２１は、様々な操作項目を選択するためのメニュー画面の表示に用いられる。表示装置１１が消灯しているときにメニューボタン２１が押されると、メニュー画面が表示装置１１に表示される。メニュー画面が表示されているときにメニューボタン２１が押されると、表示装置１１が消灯される。
【０００９】
マルチセレクター３０は、上下左右の押しボタン式方向キーから構成され、選択用カーソルの移動などに用いられる。マルチセレクター３０は、右方向３０ａ、上方向３０ｂ、左方向３０ｃ、および下方向３０ｄに押すことができるような構造を有している。たとえば、マルチセレクター３０が押された方向に応じて、メニュー画面において選択用カーソルが複数の項目間を移動する。具体的には、表示装置１１にメニュー画面が表示されているときにマルチセレクター３０の右方向３０ａを押すと、選択用カーソルが指定している項目が決定される。決定された項目がさらに下層（下位）の項目を有する場合には、右方向３０ａの押し下げ操作に応じて下層の項目に移行する。
【００１０】
表示装置１１にメニュー画面が表示されているときにマルチセレクター３０の上方向３０ｂを押すと、選択用カーソルが、現在指定している項目の上隣の項目へ移動する。表示装置１１にメニュー画面が表示されているときにマルチセレクター３０の左方向３０ｃを押すと、現在表示されている項目の上層（上位）の項目へ移行する。表示装置１１にメニュー画面が表示されているときにマルチセレクター３０の下方向３０ｄを押すと、現在指定している項目の下隣の項目へ移動する。
【００１１】
マルチセレクター３０は、また、記録されている撮影画像を表示装置１１にサムネイル表示した場合に、選択用カーソルを移動していずれかのサムネイルを選択する場合等にも用いられる。
【００１２】
モードダイヤル４０は、被写体や撮影シーンに応じて種々の撮影モードを選択するためにユーザによって操作されるダイヤル操作部材である。モードダイヤル４０の操作によって選択される撮影モードとしては、デジタルイメージプログラムを利用した「カメラオートモード」「ポートレートモード」「風景モード」「クローズアップモード」「スポーツモード」「夜景モード」「夜景ポートレートモード」がある。さらに、デジタルカメラ１は、露出制御モードとして、「プログラムオートモード」「シャッター優先オートモード」「絞り優先オートモード」「マニュアルモード」を備えている。ユーザは、モードダイヤル４０の回転操作によりこれらの種々の撮影モードの中から所望の撮影モードを選択することができる。
【００１３】
なお、デジタルイメージプログラムは、露出の制御と、輪郭強調や階調補正等の画質調整とを被写体や撮影シーンに応じて自動的に調整するためのプログラムである。露出制御モードは、露出の制御と画質調整とを独立してユーザが設定できる撮影モードである。
【００１４】
図２は、一実施の形態によるデジタルカメラ１の構成を示すブロック図である。図２では、メニュー画面の表示に関する構成を主に示している。演算回路１０１は、ＣＰＵから構成され、デジタルカメラ１におけるメニュー画面の表示に関する制御を実行する。なお、演算回路１０１には、ＣＣＤやＣＭＯＳ等の撮像素子を備える撮像装置１０４が接続され、デジタルカメラ１における撮影動作等に関する他の各種演算とシーケンス制御も実行可能であるが、ここでは詳細な説明を省略する。
【００１５】
演算回路１０１には、スイッチ２０１、スイッチ３０１〜３０４、およびモードダイヤル４０からの信号が入力される。スイッチ２０１はメニューボタン２１の押下操作によりオンし、押下操作の解除によりオフする。スイッチ３０１はマルチセレクター３０の右方向３０ａの押下操作によりオンし、右方向３０ａの押下操作の解除によりオフする。スイッチ３０２はマルチセレクター３０の上方向３０ｂの押下操作によりオンし、上方向３０ｂの押下操作の解除によりオフする。スイッチ３０３はマルチセレクター３０の左方向３０ｃの押下操作によりオンし、左方向３０ｃの押下操作の解除によりオフする。スイッチ３０４はマルチセレクター３０の下方向３０ｄの押下操作によりオンし、下方向３０ｄの押下操作の解除によりオフする。
【００１６】
モードダイヤル４０の回転位置は、エンコーダ（不図示）等により識別されて演算回路１０１へ出力される。演算回路１０１はこれらのスイッチ２０１、３０１〜３０４からの入力信号、およびモードダイヤル４０の回転位置に応じた信号に基づいて表示装置１１に表示するメニュー画面の制御を行う。
【００１７】
ＲＯＭ１０２には、メニュー画面の表示制御に関する制御プログラムやデジタルカメラ１において設定可能な各種のメニューおよび項目が記憶されている。演算回路１０１は、ＲＯＭ１０２に記憶された制御プログラムを読み出してメニュー画面の表示制御を実行するとともに、ＲＯＭ１０２に記憶された複数の項目を読み出して表示装置１１に表示させる。メモリ１０３は不揮発性のメモリであり、メニュー画面の表示制御において選択された項目を記録するために用いられる。
【００１８】
デジタルカメラ１は、階層構造で形成された複数の項目をマルチセレクター３０の操作に応じて段階的に表示装置１１に表示することができる。図３に、メニューボタン２１が押されて表示装置１１に撮影メニューが表示された場合の表示例を示す。撮影メニュー５００は、図３に示すように、仕上がり設定５０１、画質モード５０２、画像サイズ５０３、ホワイトバランス５０４、ＩＳＯ感度設定５０５、長秒時ノイズ低減５０６、および高感度ノイズ低減５０７の７つの項目から構成される。これらの７つの項目は撮影メニュー５００の第１階層に属する操作項目である。
【００１９】
ここで、仕上がり設定５０１は、撮影シーンや好みに合わせて画像の仕上がりを設定するために、撮像装置１０４で撮像された画像データに複数種類の画質調整を行うための項目である。画質モード５０２は、画像の圧縮率（画質）を設定するための項目である。画像サイズ５０３は、画像ファイルの大きさを設定するための項目である。ホワイトバランス５０４は、光源の色温度設定に関する項目である。
【００２０】
ＩＳＯ感度設定５０５は、撮像素子の光に対する感受性を設定する項目であり、フィルムのＩＳＯ感度に相当する値を設定できる。長秒時ノイズ低減５０６は、シャッタ速度が低速になった場合に発生する、いわゆる長秒時ノイズを低減するために長秒時ノイズ低減処理の設定／解除を選択するための項目である。高感度ノイズ低減５０７は、ＩＳＯ感度を高くして撮影するときに発生する高感度ノイズを低減するために高感度ノイズ低減処理の設定／解除を選択するための項目である。
【００２１】
なお、上述したデジタルイメージプログラムを利用した撮影モード、すなわちカメラオートモード、ポートレートモード、風景モード、クローズアップモード、スポーツモード、夜景モード、および夜景ポートレートモードでは、輪郭強調や階調補正等の画質調整が予め設定されている。したがって、デジタルイメージプログラムを利用したいずれかのモードが設定されている場合には、仕上がり設定５０１、および仕上がり設定５０１の下層の項目には進入できないように構成されている。すなわち、カメラオートモード、ポートレートモード、風景モード、クローズアップモード、スポーツモード、夜景モード、および夜景ポートレートモードのいずれかが選択されている場合には、白黒撮影に関する詳細設定は行えないように構成されている。
【００２２】
撮影メニュー５００の第１階層の項目５０１〜５０７は、それぞれさらに下層の第２階層の複数の項目を有する。図４、図８（ａ）〜（ｆ）に、項目５０１〜５０７のそれぞれの第２階層の項目の表示例を示す。仕上がり設定５０１は、図４に示すように、輪郭強調６０１、階調補正６０２、カラー設定６０３、彩度設定６０４、色合い調整６０５、および白黒６０６の６つの項目から構成される。
【００２３】
輪郭強調６０１は、画像の輪郭の強調度合（シャープネス）を設定するための項目である。階調補正６０２は、画像の階調（コントラスト）を設定するための項目である。カラー設定６０３は、画像の色再現を設定するための項目である。彩度設定６０４は、画像の彩度を設定するための項目である。色合い調整６０５は、画像の色合いを調整するための項目である。白黒６０６は、白黒画像撮影を行う白黒モードに関する詳細設定を行うための項目である。
【００２４】
画質モード５０２は、図８（ａ）に示すように、ＦＩＮＥ５２１、ＮＯＲＭＡＬ５２２、およびＢＡＳＩＣ５２３の３つの項目から構成される。画像サイズ５０３は、図８（ｂ）に示すようにサイズＬ５３１，サイズＭ５３２，およびサイズＳ５３３の３つの項目から構成される。
【００２５】
ホワイトバランス５０４は、図８（ｃ）に示すように、オート５４１、電球５４２、蛍光灯５４３、晴天５４４、フラッシュ５４５、曇天５４６、および晴天日陰５４７の７つの項目から構成される。ＩＳＯ感度設定５０５は、図８（ｄ）に示すように、１００（５５１）、２００（５５２）、４００（５５３）、８００（５５４）、および１６００（５５５）の５つの項目から構成される。
【００２６】
長秒時ノイズ低減５０６は、図８（ｅ）に示すように、しない５６１、および、する５６２の２つの項目から構成される。高感度ノイズ低減５０７は、図８（ｆ）に示すように、標準５７１、弱め５７２、強め５７３、および、しない５７４の４つの項目から構成される。
【００２７】
図４に示す仕上がり設定５０１の第２階層の各項目は、それぞれさらに下層の第３階層の複数の項目を有する。図５（ａ）〜（ｅ）、および図６に、項目６０１〜６０６のそれぞれの第３階層の項目の表示例を示す。輪郭強調６０１は、図５（ａ）に示すように、オート６１１、標準６１２、弱め６１３、強め６１４、および、しない６１５の５つの項目から構成される。
【００２８】
階調補正６０２は、図５（ｂ）に示すように、オート６２１、標準６２２、コントラスト弱め６２３、コントラストやや弱め６２４、コントラストやや強め６２５、コントラスト強め６２６の６つの項目から構成される。カラー設定６０３は、図５（ｃ）に示すように、モードI６３１、モードII６３２、およびモードIII６３３の３つの項目から構成される。
【００２９】
彩度設定６０４は、図５（ｄ）に示すように、標準６４１、弱め６４２、および強め６４３の３つの項目から構成される。色合い調整６０５は、図５（ｅ）に示すように、＋９°（６５１）、＋６°（６５２）、＋３°（６５３）、０°（６５４）、−３°（６５５）、−６°（６５６）、および、−９°（６５７）の７つの項目から構成される。
【００３０】
白黒６０６は、図６に示すように、スタンダード６６１、カスタマイズ（設定終了）６６２、輪郭強調６６３、階調補正６６４、およびフィルター効果６６５の５つの項目から構成される。なお、輪郭強調６６３、階調補正６６４、およびフィルター効果６６５は、カスタマイズ（設定終了）６６２の下層の項目（カスタマイズ項目）に相当するが、白黒６０６の一段下層の項目であるスタンダード６６１およびカスタマイズ（設定終了）６６２と同時に並列して表示されるため、便宜上、第３階層と呼ぶ。
【００３１】
白黒モードの詳細設定を行うための項目６６３〜６６５は、それぞれさらに下層の第４階層の複数の項目を有する。図７（ａ）〜（ｃ）に、項目６６３〜６６５のそれぞれの第４階層の項目の表示例を示す。輪郭強調６６３は、図７（ａ）に示すように、オート７１１、標準７１２、弱め７１３、強め７１４、および、しない７１５の５つの項目から構成される。階調補正６６４は、図７（ｂ）に示すように、オート７２１、標準７２２、コントラスト弱め７２３、およびコントラスト強め７２４の４つの項目から構成される。
【００３２】
フィルター効果６６５は、図７（ｃ）に示すように、なし７３１、黄７３２、オレンジ７３３、赤７３４、および緑７３５の５つの項目から構成される。なお、フィルター効果６６５は、白黒写真用カラーフィルタを通して撮影したときのような効果を得るための設定を行うための項目である。黄７３２、オレンジ７３３、または赤７３４を選択すると、コントラストを強調する効果を得ることができ、黄→オレンジ→赤の順にコントラストが強くなる。緑７３５を選択すると、肌の色や唇などを落ち着いた感じに仕上げることができる。
【００３３】
次に、白黒モードの詳細設定について説明する。
メニューボタン２１が押下操作されると、表示装置１１が点灯して図３に示すような撮影メニュー５００の第１階層の項目５０１〜５０７が、表題「撮影メニュー」とともに表示される。この状態で、ユーザはマルチセレクタ３０の上方向３０ｂまたは下方向３０ｄを押すことにより選択用カーソルＣを移動させ、仕上がり設定５０１を選択する。ここでマルチセレクタ３０の右方向３０ａを押して仕上がり設定５０１に決定すると、図４に示すような仕上がり設定５０１の第２階層の項目６０１〜６０６が表示される。この状態から、マルチセレクタ３０の上方向３０ｂまたは下方向３０ｄを押すことにより選択用カーソルＣを移動させ、白黒６０６を選択する。ここでマルチセレクタ３０の右方向３０ａを押して白黒６０６に決定すると、図６に示すような白黒６０６の第３階層の項目６６１〜６６５が、表題「白黒」とともに表示される。
【００３４】
白黒モードにおいて標準的な設定で撮影する場合には、図６に示す白黒６０６の第３階層の表示画面において、マルチセレクタ３０の上方向３０ｂまたは下方向３０ｄを押すことにより選択用カーソルＣを移動させ、スタンダード６６１を選択する。そして、マルチセレクタ３０の右方向３０ａを押してスタンダード６６１に決定すると、白黒モードで白黒画像を撮影する場合の標準的な設定内容が決定される。白黒モードの標準的な設定では、輪郭強調が標準、階調補正が標準、およびフィルター効果がなしに設定される。これにより、白黒モードで撮影をしてみたいという初心者にとっては、白黒６０６のスタンダード６６１を選択することによって、白黒撮影に関する詳細設定を行う必要がなく、標準的な設定で白黒撮影を行うことが可能となる。
【００３５】
白黒モードの詳細設定を行う場合には、図６に示す白黒６０６の第３階層の表示画面において、マルチセレクタ３０の上方向３０ｂまたは下方向３０ｄを押すことにより選択用カーソルＣを移動させ、カスタマイズ項目のうちの輪郭強調６６３、階調補正６６４、またはフィルター効果６６５を選択する。例えば、輪郭強調６６３を選択し、マルチセレクタ３０の右方向３０ａを押して決定すると、図７（ａ）に示すような輪郭強調６６３の第４階層の項目７１１〜７１５が、表題「白黒」「カスタマイズ」「輪郭強調」とともに表示される。
【００３６】
図７（ａ）に示す輪郭強調６６３の第４階層の表示画面において、マルチセレクタ３０の上方向３０ｂまたは下方向３０ｄを押すことにより選択用カーソルＣを移動させ、オート７１１、標準７１２、弱め７１３、強め７１４、および、しない７１５のうち、所望の設定を選択する。そして、マルチセレクタ３０の右方向３０ａを押すと、選択した設定が決定され、図６に示す白黒６０６の第３階層に戻る。
【００３７】
図６に示す白黒６０６の第３階層の表示画面において、階調補正６６４を選択し、マルチセレクタ３０の右方向３０ａを押して決定すると、図７（ｂ）に示すような階調補正６６４の第４階層の項目７２１〜７２４が、表題「白黒」「カスタマイズ」「階調補正」とともに表示される。ここで、マルチセレクタ３０の上方向３０ｂまたは下方向３０ｄを押すことにより選択用カーソルＣを移動させ、オート７２１、標準７２２、コントラスト弱め７２３、およびコントラスト強め７２４のうち、所望の設定を選択する。そして、マルチセレクタ３０の右方向３０ａを押すと、選択した設定が決定され、図６に示す白黒６０６の第３階層に戻る。
【００３８】
図６に示す白黒６０６の第３階層の表示画面において、フィルター効果６６５を選択し、マルチセレクタ３０の右方向３０ａを押して決定すると、図７（ｃ）に示すようなフィルター効果６６５の第４階層の項目７３１〜７３５が、表題「白黒」「カスタマイズ」「フィルター効果」とともに表示される。ここで、マルチセレクタ３０の上方向３０ｂまたは下方向３０ｄを押すことにより選択用カーソルＣを移動させ、なし７３１、黄７３２、オレンジ７３３、赤７３４、および緑７３５のうち、所望の設定を選択する。そして、マルチセレクタ３０の右方向３０ａを押すと、選択した設定が決定され、図６に示す白黒６０６の第３階層に戻る。
【００３９】
このように、白黒モードにおけるカスタマイズ項目である輪郭強調６６３、階調補正６６４、およびフィルター効果６６５の各項目を設定した後、図６の白黒６０６の第３階層の表示画面において、マルチセレクタ３０の操作によりカスタマイズ（設定終了）６６２を選択する。そして、マルチセレクタ３０の右方向３０ａを押すと、輪郭強調６６３、階調補正６６４、およびフィルター効果６６５について設定された内容が確定され、図３に示す撮影メニュー５００の第１階層の表示に戻る。
【００４０】
このように、白黒６０６の第３階層の表示においてカスタマイズ項目である輪郭強調６６３、階調補正６６４、およびフィルター効果６６５のいずれかを選択することにより、選択した項目についての詳細設定を行うことができ、詳細な設定を行ったうえで白黒モードでの撮影を行い、所望の撮影結果を得ることが可能となる。
【００４１】
なお、輪郭強調や階調補正に関するカスタマイズ設定は、カラーモードでも行うことができるが、図６、および図７（ａ）〜（ｃ）に示すように、白黒モードの場合は白黒モードに関する設定であることが分かるような表示形態で表示される。具体的には、図６、および図７（ａ）〜（ｃ）に示すような白黒モードのメニュー画面において、表示画面内に「白黒」という文字を表題として表示する。一方、図５（ａ）（ｂ）に示すように、カラーモードの場合はカラーモードであることを明示する表題を付していない。このように、詳細設定を行う表示画面の表示形態を白黒モードとカラーモードで明らかに異なるようにしているので、どちらのモードに関する設定を行っているのかユーザを混乱させることがない。
【００４２】
次に、一実施の形態によるデジタルカメラ１の演算回路１０１で実行されるメニュー画面の表示制御について、図９のフローチャートを用いて説明する。図９は、演算回路１０１で実行されるメニュー画面の表示制御の処理手順を示すフローチャートである。ここでは、白黒モードのメニュー画面に関する表示制御について主に説明する。  
【００４３】
デジタルカメラ１に不図示の電池が装填され、メニューボタン２１が押下操作されると、図９に示すメニュー画面の表示制御に関する制御プログラムがスタートする。ステップＳ１では、モードダイヤル４０のダイヤル操作により、デジタルイメージプログラムを利用した、カメラオートモード、ポートレートモード、風景モード、クローズアップモード、スポーツモード、夜景モード、および夜景ポートレートモードのいずれかが選択されているか否かを判定する。いずれかのモードが選択されていると判定されると、ステップＳ１１を進み、いずれも選択されていない場合は、ステップＳ２へ進む。
【００４４】
ステップＳ２では、撮影メニュー５００の第２階層である仕上がり設定５０１（図４参照）において、白黒６０６が選択／決定されたか否かを判定する。白黒６０６が選択／決定されたと判定されると、ステップＳ３へ進み、白黒６０６以外の項目が設定されている場合はステップＳ１２へ進む。
【００４５】
ステップＳ３では、表示装置１１に図６に示すような白黒モードのメニュー画面の表示を行う。ここで、白黒モードのメニュー画面中には、白黒モードであることが分かるように「白黒」の表題が付されている。ステップＳ４では、図６に示す白黒６０６の第３階層の表示画面において、選択用カーソルＣでスタンダード６６１を選択し、マルチセレクタ３０の右方向３０ａが押されたか否かを判定する。スタンダード６６１が選択／決定されたと判定されると、ステップＳ１３へ進み、否定判定されると、ステップＳ５へ進む。
【００４６】
ステップＳ５では、マルチセレクタ３０の上方向３０ｂまたは下方向３０ｄの押下操作に応じた選択用カーソルＣの移動を受け付け、白黒モードにおける輪郭強調６６３、階調補正６６４、およびフィルター効果６６５の各項目についての設定変更を受け付ける。ステップＳ６では、図６に示す白黒６０６の第３階層の表示画面において、選択用カーソルＣをカスタマイズ（設定終了）６６２に配置した状態でマルチセレクタ３０の右方向３０ａが押されたか否かを判定する。カスタマイズ（設定終了）６６２が選択／決定されたと判定されると、ステップＳ７へ進み、否定判定されると、ステップＳ４へ戻る。
【００４７】
ステップＳ７では、白黒６０６のカスタマイズ項目である輪郭強調６６３、階調補正６６４、およびフィルター効果６６５の各項目についての設定内容を確定し、ステップＳ１４へ進む。
【００４８】
ステップＳ１が肯定判定され、デジタルイメージプログラムを利用したいずれかのモードが選択されている場合は、ステップＳ１１において、カメラオートモード、ポートレートモード、風景モード、クローズアップモード、スポーツモード、夜景モード、および夜景ポートレートモードのなかから選択されたモードに対応する処理を行って、ステップＳ１５へ進む。ステップＳ２が否定判定され、白黒６０６以外の項目が設定されている場合は、ステップＳ１２において、設定された項目に対応したメニュー処理を行って、ステップＳ１５へ進む。
【００４９】
ステップＳ４が肯定判定され、白黒６０６のスタンダード６６１が選択されている場合は、ステップＳ１３において、白黒モードの標準的な設定として、輪郭強調を標準、階調補正を標準、フィルター効果をなしとする設定を確定し、ステップＳ１４へ進む。ステップＳ１４では、白黒モードのメニュー画面を消去し、図３に示すような撮影メニュー５００の第１階層の表示を行い、ステップＳ１５へ進む。ステップ１５では、メニューボタン２１が押圧操作されるとメニュー画面の表示制御を終了し、メニューボタン２１が押圧操作されていないとステップＳ１へ戻る。
【００５０】
以上説明した一実施の形態では、図６、および図７（ａ）〜（ｃ）に示すような白黒モードのメニュー画面において、「白黒」という文字を表示して白黒モードであることを明確にしたが、白黒モードであることをユーザにわかりやすく知らせるために、これとは別の表示形態を用いることもできる。
【００５１】
例えば、図１０に示すように表示画面の背景を黒やグレイの暗色で表示し、各項目名を白抜き文字（あるいは明るめのグレイ）で表示する。図１０は、白黒６０６の輪郭強調６６３の第４階層の各項目の表示例である。表示色から白黒モードの詳細設定を行うためのメニュー画面であることが一目瞭然であるため、図７（ａ）に示したような「白黒」の表題を省略することができる。また、見やすくするために「カスタマイズ」という文字も省略している。また、白黒モードにおいて図１０に示すように白と黒を基調とした表示形態とした場合、図５（ａ）〜（ｅ）に示すようなカラーモードのメニュー画面をよりカラフルに表示することで、白黒モードとカラーモードとの相違をより明確に示すことができる。
【００５２】
なお、上述した一実施の形態では、単色画像の例として白黒画像の撮影に関するメニュー画面の表示について説明したが、白黒以外に、セピア色の単色画像や青色の単色画像の撮影に関するメニュー画面も同様に構成することが可能である。この場合、図６、および図７（ａ）〜（ｃ）に示した表題「白黒」の文字を、選択された色、例えば「セピア」「青」等に置き換える。あるいは、図１１のような白抜き文字の表示形態とする場合、選択された色に応じた色調で表示する。例えば、セピア色の単色画像を撮影するモードの場合、背景色を濃いセピア色、各項目を薄いセピア色で表示することができる。
【００５３】
このように、以上説明した一実施の形態においては、以下のような作用効果を奏することができる。
（１）白黒モードのメニュー画面において、予め標準的な画質調整が設定された「スタンダード」と、輪郭強調、階調補正、およびフィルター効果等の画質調整項目をユーザが設定可能な「カスタマイズ」とを選択可能に設けた。さらに、図６に示すように、白黒モードのカスタマイズ項目である輪郭強調、階調補正、およびフィルター効果等の画質調整項目を、「スタンダード」と並列に配置した。これにより、初心者にとっては、煩わしい表示や設定を経ることなく簡単に白黒モードを選択することができる。また、中・上級者にとっては、メニュー画面の階層を深くすることなく輪郭強調、階調補正、およびフィルター効果等の画質調整項目が表示されるため、設定のための操作をシンプルにすることができる。また、白黒モードにおいてこれらの画質調整項目を詳細に設定できるため、高度な白黒撮影を行うことが可能となる。
（２）白黒モードの輪郭強調や階調補正について設定を行うメニュー画面と、カラーモードの輪郭強調や階調補正について設定を行うメニュー画面とを、ユーザが混同しないように異なる表示形態で表示した。具体的には、図７（ａ）〜（ｃ）に示すようにメニュー画面中に「白黒」の表題を配置したり、図１１に示すように白黒のグラデーションのみで表示を行った。これにより、画質調整項目に関する設定を行う表示画面において、ユーザは現在、白黒モードの設定を行っていることを把握しながら操作を行うことができる。
（３）デジタルイメージプログラムを利用したカメラオートモード、ポートレートモード、風景モード、クローズアップモード、スポーツモード、夜景モード、および夜景ポートレートモードのいずれかが選択されている場合には、仕上がり設定５０１の白黒６０６を選択できず、白黒モードを選択できないように構成されている。これにより、カメラオートモード、ポートレートモード、風景モード、クローズアップモード、スポーツモード、夜景モード、および夜景ポートレートモードのいずれかが選択されている場合は、デジタルイメージプログラムの設定が白黒モードによって妨害されることがなく、露出制御、および輪郭強調や階調補正等の画質調整が予め決められた組み合わせの設定で撮影され、ユーザにとってイメージ通りの露出、画質調整を得ることが可能となる。
【００５４】
以上説明した一実施の形態によるデジタルカメラ１は、単色撮影とカラー撮影とを行うことができるものであれば、一眼レフカメラでもコンパクトカメラでもよい。
【００５５】
以上説明した一実施の形態において、撮像装置１０４が撮像手段として機能し、マルチセレクター３０が選択手段として機能し、演算回路１０１が画像調整手段および表示制御手段として機能することができる。なお、以上の説明はあくまで一例であり、発明を解釈する際、上記の実施形態の記載事項と特許請求の範囲の記載事項の対応関係になんら限定も拘束もされない。
【図面の簡単な説明】
【００５６】
【図１】本発明の一実施の形態によるデジタルカメラの背面図。
【図２】一実施の形態によるデジタルカメラのメニュー画面の表示に関する構成を示すブロック図。
【図３】撮影メニューの第１階層の表示例を示す図。
【図４】仕上がり設定の第２階層の表示例を示す図。
【図５】（ａ）〜（ｅ）輪郭強調、階調補正、カラー設定、彩度設定、および色合い調整の第３階層の表示例をそれぞれ示す図。
【図６】白黒モードの第３階層の表示例を示す図。
【図７】（ａ）〜（ｃ）白黒モードの輪郭強調、階調補正、およびフィルター効果の第４階層の表示例をそれぞれ示す図。
【図８】（ａ）〜（ｆ）画質モード、画像サイズ、ホワイトバランス、ＩＳＯ感度設定、長秒時ノイズ低減、および高感度ノイズ低減の第２階層の表示例をそれぞれ示す図。
【図９】一実施の形態による演算回路で実行されるメニュー画面の表示制御の制御プログラムを示すフローチャート。
【図１０】白黒モードの第４階層の別の表示例を示す図。
【符号の説明】
【００５７】
１：デジタルカメラ、１１：表示装置、２１：メニューボタン、３０：マルチセレクター、４０：モードダイヤル、１０１：演算回路、１０２：ＲＯＭ、１０３：メモリ、１０４:撮像装置、２０１、３０１〜３０４：スイッチ
【図１】
2008258827.tif 000003
【図２】
2008258827.tif 000004
【図３】
2008258827.tif 000005
【図４】
2008258827.tif 000006
【図５】
2008258827.tif 000007
【図６】
2008258827.tif 000008
【図７】
2008258827.tif 000009
【図８】
2008258827.tif 000010
【図９】
2008258827.tif 000011
【図１０】
2008258827.tif 000012